(57)【要約】【課題】ユーザが意図しないアドレスの設定又は変更がされる可能性が低い操作端末器を提供する。【解決手段】本体ブロック１０１は、それぞれ固有のアドレスが設定される複数のスイッチを有する。ハンドルブロック１０２は、本体ブロック１０１の前面１１０を覆うように本体ブロック１０１に対して取り外し可能に取り付けられる。通信部１１は、上記アドレスを設定するための設定器との通信を行う。ハンドルブロック１０２は、固定部材２７０、及び固定部材２７０に保持され複数のスイッチに一対一に対応する複数の操作部２１１〜２１８を有する。通信部１１は、本体ブロック１０１のうちハンドルブロック１０２に覆われる位置に配置される。【選択図】図１
2017175479.tif 000002
【特許請求の範囲】
【請求項１】
それぞれ固有のアドレスが設定される複数のスイッチ、及び前記複数のスイッチのオンオフに応じて前記アドレスを含む操作信号を送信する信号処理部を有する本体ブロックと、
前記本体ブロックの前面を覆うように前記本体ブロックに対して取り外し可能に取り付けられるハンドルブロックと、
前記アドレスを設定するための設定器との通信を行う通信部と、を備え、
前記ハンドルブロックは、前記本体ブロックに固定される固定部材、及び前記固定部材に保持され前記複数のスイッチに一対一に対応する複数の操作部を有し、
前記複数のスイッチは、それぞれ対応する前記複数の操作部の押し操作によりオンオフが切り替わるように構成されており、
前記通信部は、前記本体ブロックのうち前記ハンドルブロックに覆われる位置に配置される
操作端末器。
【請求項２】
前記通信部は、光を伝送媒体に用いた光通信により前記設定器との通信を行う
請求項１に記載の操作端末器。
【請求項３】
前記ハンドルブロックのうち少なくとも前記通信部を覆う部分は遮光性を有する
請求項２に記載の操作端末器。
【請求項４】
前記通信部は、前記設定器との通信を行う設定モードと、前記設定器との通信を行わない通常モードとを含む複数の動作モードを切替可能に構成されており、
前記本体ブロックは、前記ハンドルブロックに覆われる位置に配置され、前記複数の動作モードを切り替えるための操作を受け付ける切替操作部を更に有する
請求項１〜３のいずれか１項に記載の操作端末器。
【請求項５】
前記本体ブロックは、前記ハンドルブロックに覆われる位置に配置され、前記複数のスイッチのうち前記アドレスの設定対象である少なくとも１つのスイッチからなる対象スイッチを表示する表示部を更に有する
請求項１〜４のいずれか１項に記載の操作端末器。
【請求項６】
前記表示部は、前記複数のスイッチに一対一に対応する複数の発光部を有し、前記複数の発光部のうち、前記対象スイッチに対応する少なくとも１つの発光部の発光状態によって、前記対象スイッチを表示する
請求項５に記載の操作端末器。
【請求項７】
前記複数のスイッチは、複数のグループに分かれており、
前記対象スイッチは、前記複数のグループの個々のグループ単位で選択される
請求項５又は６に記載の操作端末器。
【発明の詳細な説明】
【技術分野】
【０００１】
本発明は、一般に操作端末器に関し、より詳細には、複数のスイッチを備えた操作端末器に関する。
【背景技術】
【０００２】
従来、例えば特許文献１に記載の遠隔監視制御システムが知られている。この遠隔監視制御システムでは、中央制御装置と、スイッチの操作状態を監視する複数の操作端末器と、負荷を制御する制御用端末器とが、一対の信号線にて接続されている。操作端末器には、固有のアドレスが設定されている。
【０００３】
この種の遠隔監視制御システムでは、中央制御装置は、操作端末器から監視データを受信すると、この監視データに基づいて、操作端末器に対応する制御端末器に制御データを伝送して、制御端末器に負荷を制御させる。特許文献１に記載の操作端末器は、設定器（外部設定装置）との間で光ワイヤレス信号を用いて信号伝送を行うための通信部（送受信用窓）が、前面（上面）に露出（露呈）するように設けられている。この操作端末器では、設定器との間で信号伝送を行うことで、操作端末器を壁などから取り外すことなく、アドレスの設定が行える。
【先行技術文献】
【特許文献】
【０００４】
【特許文献１】特開平１１−１５０７７１号公報
【発明の概要】
【発明が解決しようとする課題】
【０００５】
特許文献１に記載の操作端末器では、通信部が操作端末器の前面に露出しているため、例えば設定器以外の赤外線式のリモートコントローラ等からの光が通信部に偶然入射した場合、ユーザが意図しないアドレスの設定又は変更がされてしまう可能性がある。
【０００６】
本発明は上記事由に鑑みてなされており、ユーザが意図しないアドレスの設定又は変更がされる可能性が低い操作端末器を提供することを目的とする。
【課題を解決するための手段】
【０００７】
本発明の一態様に係る操作端末器は、本体ブロックと、ハンドルブロックと、通信部と、を備える。前記本体ブロックは、複数のスイッチ、及び信号処理部を有する。前記複数のスイッチは、それぞれ固有のアドレスが設定される。前記信号処理部は、前記複数のスイッチのオンオフに応じて前記アドレスを含む操作信号を送信する。前記ハンドルブロックは、前記本体ブロックの前面を覆うように前記本体ブロックに対して取り外し可能に取り付けられる。前記通信部は、前記アドレスを設定するための設定器との通信を行う。前記ハンドルブロックは、固定部材、及び複数の操作部を有する。前記固定部材は、前記本体ブロックに固定される。前記複数の操作部は、前記固定部材に保持され前記複数のスイッチに一対一に対応する。前記複数のスイッチは、それぞれ対応する前記複数の操作部の押し操作によりオンオフが切り替わるように構成されている。前記通信部は、前記本体ブロックのうち前記ハンドルブロックに覆われる位置に配置される。
【発明の効果】
【０００８】
本発明は、ユーザが意図しないアドレスの設定又は変更がされる可能性が低い、という利点がある。
【図面の簡単な説明】
【０００９】
【図１】図１Ａは、実施形態１に係る操作端末器の本体ブロックにハンドルブロックが取り付けられた状態の斜視図、図１Ｂは、同上の操作端末器の本体ブロックからハンドルブロックが外された状態の斜視図である。
【図２】図２は、同上の操作端末器を用いた監視制御システムの概略構成を示すブロック図である。
【図３】図３は、同上の操作端末器の斜め前方から見た分解斜視図である。
【図４】図４は、同上の操作端末器の斜め後方から見た分解斜視図である。
【図５】図５は、同上の操作端末器のアドレスの設定時の状態を示す概略図である。
【図６】図６は、実施形態２に係る操作端末器の斜視図である。
【図７】図７は、同上の操作端末器の斜め前方から見た分解斜視図である。
【図８】図８は、同上の操作端末器の斜め後方から見た分解斜視図である。
【図９】図９Ａは、同上の操作端末器のパネルユニットの構成を示す斜視図、図９Ｂは、同上のパネルユニットの構成を示す切断部端面図である。
【発明を実施するための形態】
【００１０】
以下に説明する構成は、本発明の一例に過ぎず、本発明は、下記実施形態に限定されることはなく、下記実施形態以外であっても、本発明に係る技術的思想を逸脱しない範囲であれば、設計等に応じて種々の変更が可能である。
【００１１】
（実施形態１）
（１）概要
本実施形態に係る操作端末器２は、図１Ａ及び図１Ｂに示すように、本体ブロック１０１と、ハンドルブロック１０２と、通信部１１と、を備える。
【００１２】
本体ブロック１０１は、複数のスイッチ２２１〜２２８（図３参照）、及び信号処理部２３３（図４参照）を有する。複数のスイッチ２２１〜２２８は、それぞれ固有のアドレスが設定される。信号処理部２３３は、複数のスイッチ２２１〜２２８のオンオフに応じて上記アドレスを含む操作信号を送信する。ハンドルブロック１０２は、本体ブロック１０１の前面１１０を覆うように本体ブロック１０１に対して取り外し可能に取り付けられる。通信部１１は、上記アドレスを設定するための設定器６（図５参照）との通信を行う。
【００１３】
ハンドルブロック１０２は、固定部材２７０、及び複数の操作部２１１〜２１８を有する。固定部材２７０は、本体ブロック１０１に固定される。複数の操作部２１１〜２１８は、固定部材２７０に保持され複数のスイッチ２２１〜２２８に一対一に対応する。複数のスイッチ２２１〜２２８は、それぞれ対応する複数の操作部２１１〜２１８の押し操作によりオンオフが切り替わるように構成されている。通信部１１は、本体ブロック１０１のうちハンドルブロック１０２に覆われる位置に配置される。
【００１４】
上記構成により、本実施形態に係る操作端末器２では、本体ブロック１０１からハンドルブロック１０２が外された状態で、設定器６によるアドレスの設定が可能である。一方、アドレスの設定が行われない通常時には、操作端末器２は、本体ブロック１０１にハンドルブロック１０２が取り付けられた状態で使用される。つまり、アドレスの設定が行われない通常時には、設定器６との通信を行う通信部１１は、ハンドルブロック１０２に覆われる。そのため、通信部１１が操作端末器２の前面に露出する構成に比べると、通常時には、例えば設定器６以外の赤外線式のリモートコントローラ等からの光が通信部１１に入射しにくく、ユーザが意図しないアドレスの設定又は変更がされる可能性は低くなる。
【００１５】
以下では、複数のスイッチ２２１〜２２８をとくに区別しない場合、複数のスイッチ２２１〜２２８の各々を「スイッチ２２」という。また、複数の操作部２１１〜２１８をとくに区別しない場合、複数の操作部２１１〜２１８の各々を「操作部２１」という。また、本実施形態では、複数の操作部２１１〜２１８の集合を「操作部群２１０」ともいう。操作部群２１０は、固定部材２７０と共にハンドルブロック１０２を構成する。
【００１６】
（２）詳細
（２．１）監視制御システム
まず、本実施形態に係る操作端末器２が用いられる監視制御システム１０について説明する。
【００１７】
監視制御システム１０は、図２に示すように、親機としての伝送ユニット１と、子機としての複数（図２では２つ）の操作端末器２とを備える。また、本実施形態の監視制御システム１０は、複数（図２では２つ）の制御端末器３を更に備える。これらの伝送ユニット１、操作端末器２及び制御端末器３は、２線式（図２では１線で表す）の信号線７により互いに電気的に接続されている。
【００１８】
各制御端末器３には、図２に示すように、複数（図２では４つ）のリレー４が接続線８により電気的に接続されている。また、各リレー４は、対応する照明器具５と電源との間に電気的に接続されている。そして、各リレー４は、制御端末器３からの出力に従って、対応する照明器具５への給電経路を形成する状態と、対応する照明器具５への給電経路を遮断する状態とが切り替わる。つまり、制御端末器３は、リレー４を制御することによって、リレー４に電気的に接続された負荷（図２では照明器具５）の通電状態を制御する。図２では、左側の制御端末器３に電気的に接続されるリレー４及び照明器具５の図示を省略している。
【００１９】
各操作端末器２及び各制御端末器３には、固有のアドレスが設定される。伝送ユニット１は、これらのアドレスを用いて操作端末器２及び制御端末器３を個別に認識する。ここで、１つの操作端末器２に複数のスイッチ２２が備わっている場合には、複数のスイッチ２２の各々に固有のアドレスが設定される。同様に、１つの制御端末器３に複数のリレー４が接続されている場合には、複数のリレー４の各々に固有のアドレスが設定される。
【００２０】
監視制御システム１０では、例えば双極性（±２４Ｖ）の時分割多重信号からなる伝送信号によりデータの送受信が行われる。伝送ユニット１は、サイクリックに変更されるアドレスデータを含む伝送信号を信号線７に対して定期的に送出する。一方、操作端末器２及び制御端末器３は、伝送信号に含まれるアドレスデータが自己のアドレスに一致すると、伝送信号に含まれる制御データを取り込む。そして、操作端末器２及び制御端末器３は、伝送信号の信号返送期間において監視データを電流モード信号として返送する。
【００２１】
例えば、操作端末器２は、自己が備えるスイッチ２２１〜２２８の操作状態を監視データとして伝送ユニット１に返送する。制御端末器３は、対応する照明器具５の制御状態（リレー４のオンオフ）を監視データとして伝送ユニット１に返送する。電流モード信号とは、信号線７の線間を開放した状態と、線間に低インピーダンスの素子を接続した状態との切り替えによって生じる電流変化で表される信号である。
【００２２】
上記構成の監視制御システム１０によれば、操作端末器２においてスイッチ２２が操作されると、操作端末器２から伝送ユニット１へは、信号線７を介して操作信号が送信されることになる。ここでいう操作信号は、スイッチ２２のオンオフに応じて操作端末器２で発生する信号であって、操作端末器２から伝送ユニット１へ送信される電流モード信号である。
【００２３】
操作端末器２からの操作信号を受信した伝送ユニット１は、操作されたスイッチ２２にアドレスが対応するリレー４を制御するための制御信号を、信号線７を介して制御端末器３へ送信する。ここでいう制御信号は、リレー４をオンオフするための信号であって、伝送ユニット１から制御端末器３へ送信される信号である。
【００２４】
（２．２）操作端末器
本実施形態に係る操作端末器２は、図１Ａ及び図１Ｂに示すように、本体ブロック１０１と、ハンドルブロック１０２とを備えている。ハンドルブロック１０２は、本体ブロック１０１の前面１１０を覆うように、本体ブロック１０１に対して取り外し可能に取り付けられる。図１Ａは、本体ブロック１０１にハンドルブロック１０２が取り付けられた状態の操作端末器２の斜視図であって、図１Ｂは、ハンドルブロック１０２が外された状態の本体ブロック１０１の斜視図である。
【００２５】
操作端末器２は、図１Ｂに示すように、通信部１１と、切替操作部１２とを更に備えている。通信部１１は、アドレスを設定するための設定器６（図５参照）との通信機能を有している。切替操作部１２は、通信部１１の動作モードを切り替えるための操作を受け付ける。通信部１１及び切替操作部１２は、本体ブロック１０１のうちハンドルブロック１０２に覆われる位置に配置されている。
【００２６】
本体ブロック１０１は、複数（本実施形態８つ）のスイッチ２２１〜２２８（図３参照）と、信号処理部２３３（図４参照）とを有している。複数のスイッチ２２１〜２２８は、それぞれ固有のアドレスが設定される。信号処理部２３３は、複数のスイッチ２２１〜２２８のオンオフに応じてアドレスを含む操作信号を送信する。
【００２７】
ハンドルブロック１０２は、操作部群２１０と、操作部群２１０を保持する固定部材２７０とで構成されている。操作部群２１０は、複数（本実施形態では８つ）の操作部２１１〜２１８にて構成されている。複数の操作部２１１〜２１８は、複数のスイッチ２２１〜２２８と一対一に対応する。
【００２８】
以下、操作端末器２が建物の壁に設置された状態における上下、左右、前後（図１Ａ及び図１Ｂ等に矢印で示した上下、左右、前後）を上下、左右、前後として説明する。具体的には、操作部２１１〜２１３が並ぶ方向を上下方向、かつ操作部２１１から見て操作部２１２側を下方とし、さらに、操作部２１３〜２１５が並ぶ方向を左右方向、かつ操作部２１３から見て操作部２１４側を右方として説明する。ただし、これらの方向に操作端末器２の取付方向を限定する趣旨ではない。例えば、操作端末器２は、天井等に取り付けられ、本体ブロック１０１の前面１１０が下方を向いた状態で使用されてもよい。図１Ａ及び図１Ｂ等において、上下、左右、前後を付した矢印は、方向を示すための矢印であって実体は伴わない。
【００２９】
固定部材２７０は、四角枠状の周壁２９５と、センターパネル２５とを有している。ハンドルブロック１０２は、正面視において正方形状に形成されている。複数の操作部２１１〜２１８は、ハンドルブロック１０２の前面９０１においてセンターパネル２５を囲むように配置されている。操作部群２１０（複数の操作部２１）及びセンターパネル２５は、周壁２９５で囲まれた領域に配置されている。言い換えれば、ハンドルブロック１０２の前面９０１は、複数の操作部２１と、センターパネル２５と、周壁２９５とで構成される。本実施形態では、複数の操作部２１が固定部材２７０に保持された状態において、複数の操作部２１の前面及びセンターパネル２５の前面は、周壁２９５の前面と略面一になる。つまり、ハンドルブロック１０２の前面９０１は略フラットになる。
【００３０】
ここで、固定部材２７０及び複数の操作部２１は、いずれも電気絶縁性を有する合成樹脂製である。さらに、本実施形態では、センターパネル２５は、操作端末器２と設定器６との間の伝送媒体として用いられる光（赤外線）に対して遮光性を有している。つまり、センターパネル２５は、操作端末器２と設定器６との間の通信用の光を通さない材料からなる。
【００３１】
センターパネル２５及び複数の操作部２１の各々の正面視の形状は、センターパネル２５及び複数の操作部２１において略同一の正方形状に形成されている。ここで、ハンドルブロック１０２の前面９０１において、センターパネル２５及び複数の操作部２１がＮ×Ｎ（Ｎは３以上の奇数。本実施形態ではＮ＝３）のマトリクス状に配置されている。このように正面視が正方形状のセンターパネル２５及び複数の操作部２１がＮ×Ｎのマトリクス状に配置されることで、正方形状の前面９０１は、略全面がセンターパネル２５及び複数の操作部２１にて埋め尽くされる。このとき、前面９０１の一辺の長さは、正面視においてセンターパネル２５及び複数の操作部２１の各々の一辺の長さの略Ｎ倍（本実施形態では３倍）となる。
【００３２】
この構成では、複数の操作部２１は、上下方向において対称となり、かつ左右方向においても対称となる。そのため、複数の操作部２１は、ハンドルブロック１０２の前面９０１に直交しかつハンドルブロック１０２の前面９０１の中心を通る対称軸Ａ１（図１Ａ参照）周りで４回回転対称となる。言い換えれば、複数の操作部２１は、対称軸Ａ１を中心に９０度、１８０度、２７０度、及び３６０度の４つの回転位置にて回転対称となる。
【００３３】
更に詳しくは、正面視においてセンターパネル２５及び複数の操作部２１の各々の一辺の長さは、ハンドルブロック１０２の前面９０１の一辺の長さの３分の１より僅かに短く設定されている。そのため、前面９０１において、センターパネル２５と複数の操作部２１の各々との間、及び隣接する２つの操作部２１間には、僅かな隙間が設けられている。この隙間により、センターパネル２５と複数の操作部２１の各々との間、及び隣接する２つの操作部２１間における、操作部２１の操作時の干渉が回避される。
【００３４】
操作部群２１０及び固定部材２７０（センターパネル２５を含む）で構成されるハンドルブロック１０２は、本体ブロック１０１の前面１１０を覆うように、本体ブロック１０１に取り付けられる。本体ブロック１０１にハンドルブロック１０２が取り付けられた状態では、固定部材２７０は、複数の操作部２１と共に本体ブロック１０１の前面１１０を覆うように、本体ブロック１０１に固定される。
【００３５】
また、操作端末器２は、操作信号による負荷（本実施形態では照明器具５）の制御状態を表す表示部２４（図５参照）を更に備えている。表示部２４は、複数のスイッチ２２１〜２２８に一対一に対応する複数（本実施形態では８つ）の発光部２４１〜２４８（図３参照）を有している。表示部２４では、スイッチ２２のオンオフに応じた操作信号による負荷の制御状態に応じて、複数のスイッチ２２１〜２２８に対応する複数の発光部２４１〜２４８の発光状態が変化する。さらに、詳しくは「（２．３）アドレス設定」の欄で説明するが、表示部２４には、アドレスの設定対象であるスイッチ２２を表示する機能もある。ここでいう発光状態は、複数の発光部２４１〜２４８の発光色（例えば赤、緑）や、複数の発光部２４１〜２４８の点灯、消灯、点滅の別、更には点滅パターンなどである。
【００３６】
図１Ａに示すように、各操作部２１において、複数の発光部２４１〜２４８の各々に対応する位置にはレンズ２４０が設けられている。複数のレンズ２４０は、センターパネル２５を囲むように配置されている。複数のレンズ２４０の各々は、対応する操作部２１の前面において、外側（前面９０１の外周縁側）よりも内側（センターパネル２５側）に寄った位置に配置されている。本実施形態では、複数のレンズ２４０の各々からセンターパネル２５までの距離が複数のレンズ２４０において略同一となるように、複数のレンズ２４０がセンターパネル２５の外周縁に沿って配置されている。
【００３７】
このように配置されることで、複数のレンズ２４０は、上下方向において対称となり、かつ左右方向においても対称となる。そのため、複数のレンズ２４０は、ハンドルブロック１０２の前面９０１に直交しかつハンドルブロック１０２の前面９０１の中心を通る対称軸Ａ１周りで４回回転対称となる。言い換えれば、複数のレンズ２４０は、対称軸Ａ１を中心に９０度、１８０度、２７０度、３６０度の４つの回転位置にて回転対称となる。
【００３８】
また、上述のように複数の操作部２１及び複数のレンズ２４０のいずれもが、対称軸Ａ１周りで４回回転対称となる構成によれば、部品の共通化を図ることが可能である。本実施形態では、複数の操作部２１１〜２１８のうち、前面９０１の４隅に位置する操作部２１１，２１３，２１５，２１７について、共通の部品が用いられている。同様に、複数の操作部２１１〜２１８のうち、操作部２１２，２１４，２１６，２１８について、共通の部品が用いられている。そのため、複数の操作部２１１〜２１８は、２種類の部品で構成されることになる。
【００３９】
なお、本実施形態では、センターパネル２５及び複数の操作部２１の各々、並びに固定部材２７０においては、角部がＲ（アール）面取りされている。ただし、面取りは操作端末器２に必須の構成ではなく、適宜省略可能である。
【００４０】
以下、本実施形態の操作端末器２の内部構成を含むより具体的な構成について、図３及び図４を参照して説明する。図３及び図４においては、操作端末器２の主要部を図示し、細部の図示は適宜省略している。
【００４１】
本体ブロック１０１は、ケース２０と、回路ブロック２３と、端子ブロック２９とを備えている。
【００４２】
ケース２０は、ボディ２６と内カバー２８とを有している。内カバー２８は、ボディ２６に対して前方から着脱可能に取り付けられ、ボディ２６に内カバー２８が取り付けられた状態でケース２０が構成される。ボディ２６及び内カバー２８は、いずれも電気絶縁性を有する合成樹脂製である。
【００４３】
ボディ２６は、正面視で固定部材２７０よりも一回り小さい正方形状に形成されている。ボディ２６には、前方に開放された収納凹所２６１が形成されている。ボディ２６における収納凹所２６１の周囲には、複数（本実施形態では４つ）の固定孔２６２が形成されている。固定孔２６２は、本体ブロック１０１を壁に固定するために用いられる孔である。固定孔２６２を通した固定用ねじが壁に設置されている埋込ボックスに締め付けられることにより、壁に対して本体ブロック１０１が固定される。
【００４４】
本実施形態では、複数の固定孔２６２は、ボディ２６の前面における上下左右の各辺における中央部付近に形成されている。この構成では、複数の固定孔２６２は、上下方向において対称となり、かつ左右方向においても対称となる。これにより、上下方向又は左右方向のいずれかに並ぶ一対のねじ孔のみが設けられた埋込ボックスに対しても、操作端末器２の縦方向（鉛直方向）と横方向（水平方向）とを入れ替えて、操作端末器２を取付可能となる。収納凹所２６１は、各固定孔２６２の近傍を除いてボディ２６の前面の外周縁に向けて張り出した形状に形成されている。言い換えれば、収納凹所２６１の開口は、上下左右の各辺における中央部付近において収納凹所２６１の内側に凹んだ形状に形成されている。
【００４５】
回路ブロック２３は、ボディ２６の収納凹所２６１内に収まるように、ケース２０に収納される。回路ブロック２３は、プリント基板２３１に電子部品が実装されることにより構成されており、少なくとも信号線７を介して伝送ユニット１と通信する機能を有している。
【００４６】
回路ブロック２３は、通信部１１、切替操作部１２、及びＣＰＵ（Central Processing Unit）を主構成とする信号処理部２３３を有している。ここでは、信号処理部２３３は、複数のスイッチ２２１〜２２８のアドレスを記憶する記憶部等を含んでいる。さらに、回路ブロック２３には、複数のスイッチ２２１〜２２８、及び複数の発光部２４１〜２４８等が含まれている。通信部１１及び切替操作部１２は、プリント基板２３１の前面に実装されている。信号処理部２３３は、プリント基板２３１の後面に実装されている。通信部１１、切替操作部１２及び信号処理部２３３は、いずれもプリント基板２３１のうちセンターパネル２５に対応する位置、つまり正面視において本体ブロック１０１の中央部に相当する位置に配置されている。ただし、通信部１１、切替操作部１２及び信号処理部２３３が、プリント基板２３１のうちセンターパネル２５に対応する位置（正面視において本体ブロック１０１の中央部）に配置されることは、操作端末器２に必須の構成ではない。例えば、通信部１１、切替操作部１２及び信号処理部２３３の少なくとも一部が、複数の操作部２１１〜２１８のいずれかに対応する位置に、配置されていてもよい。
【００４７】
通信部１１は、複数のスイッチ２２１〜２２８のアドレスの設定に用いられる設定器６（図５参照）との通信機能を有している。本実施形態では、操作端末器２と設定器６との間の通信方式は、伝送媒体として赤外線を用いた光通信である。そのため、通信部１１は、赤外線信号の受波を行う受光素子、及び送波を行う発光素子を有している。通信部１１は、受光素子により受光した赤外線信号に含まれるアドレスデータを信号処理部２３３へ出力する。信号処理部２３３は、受け取ったアドレスデータに基づいて、各スイッチ２２と対応するアドレスとを関連付けて記憶部に記憶する。
【００４８】
詳しくは、「（２．３）アドレス設定」の欄で説明するが、通信部１１は、設定器６との通信を行う設定モードと、設定器６との通信を行わない通常モードとを含む複数の動作モードを切替可能に構成されている。切替操作部１２は、これら通信部１１の複数の動作モードを切り替えるための操作を受け付ける。ここで、切替操作部１２は、押し操作によりオンオフが切り替わる押しボタンスイッチである。本実施形態では、切替操作部１２は、押し操作されている間だけオンになり、押し操作が終了するとオフになるモーメンタリ型の押しボタンスイッチである。
【００４９】
信号処理部２３３は、少なくとも複数のスイッチ２２の各々のオンオフに応じた操作信号を、信号線７を介して伝送ユニット１に送信する機能を有している。さらに、信号処理部２３３は、複数のスイッチ２２の各々のアドレスの設定、及び表示部２４（複数の発光部２４１〜２４８）の制御を行う機能を有している。
【００５０】
複数のスイッチ２２１〜２２８は、プリント基板２３１の前面に実装されている。ここで、各スイッチ２２は、対応する操作部２１の押し操作によりオンオフが切り替わる押しボタンスイッチである。本実施形態では、各スイッチ２２は、対応する操作部２１が押し操作されている間だけオンになり、操作部２１の押し操作が終了するとオフになるモーメンタリ型の押しボタンスイッチである。
【００５１】
複数の発光部２４１〜２４８は、複数のスイッチ２２に一対一に対応してプリント基板２３１の前面に実装されている。本実施形態では、複数の発光部２４１〜２４８の各々はＬＥＤ（Light Emitting Diode）からなる。
【００５２】
内カバー２８は、収納凹所２６１の開口の形状に合わせて形成されている。内カバー２８は、収納凹所２６１内に回路ブロック２３が収納された状態で、収納凹所２６１の開口を塞ぐようにボディ２６に取り付けられる。内カバー２８がボディ２６に取り付けられた状態において、ボディ２６及び内カバー２８の前面が本体ブロック１０１の前面１１０に相当する。
【００５３】
内カバー２８において複数のスイッチ２２の各々に対応する位置には操作用孔２８１が形成されている。つまり、ケース２０は、スイッチ２２及び回路ブロック２３を収納しており、ケース２０におけるスイッチ２２の前方には操作用孔２８１が形成されている。また、内カバー２８において複数の発光部２４１〜２４８の各々に対応する位置には表示用孔２８２が形成されている。
【００５４】
内カバー２８における操作用孔２８１の周囲には、前方に突出する絶縁ボス２８４が形成されている。さらに、本実施形態では、内カバー２８における表示用孔２８２の周囲には、前方に突出するボス２８５が形成されている。絶縁ボス２８４及びボス２８５の各々は、複数（本実施形態では８個）の操作部２１に一対一に対応するように、複数（本実施形態では８個）ずつ設けられている。
【００５５】
ところで、内カバー２８の前面の中央部には設定用孔２８６が形成されている。設定用孔２８６の開口は、少なくとも通信部１１及び切替操作部１２を露出させる大きさの四角形状に形成されている。言い換えれば、プリント基板２３１の前面に実装されている通信部１１及び切替操作部１２は、設定用孔２８６を通して、本体ブロック１０１の前面１１０に露出する（図１Ｂ参照）。そのため、内カバー２８がボディ２６に取り付けられた状態において、設定用孔２８６を通して、設定器６と通信部１１との間で光（赤外線）を伝送媒体とする通信が可能である。また、内カバー２８がボディ２６に取り付けられた状態において、設定用孔２８６を通して、切替操作部１２の操作が可能である。
【００５６】
ただし、ハンドルブロック１０２のうち、通信部１１を覆う部分に相当するセンターパネル２５は、上述したように遮光性を有している。そのため、本体ブロック１０１にハンドルブロック１０２が取り付けられた状態では、設定器６と通信部１１との間の通信は、少なくとも通信部１１の前方に位置するセンターパネル２５にて阻害される。
【００５７】
端子ブロック２９は、電気絶縁性を有する合成樹脂製のベース２９１と、ベース２９１に保持される一対の端子板２９２、及び一対の端子ねじ２９３を有している。このような構成の端子ブロック２９は、端子ねじ２９３と端子板２９２との間に信号線７を挟むようにして端子板２９２と信号線７とを電気的に接続されるねじ式端子である。端子ブロック２９は、ボディ２６の中央部に形成された端子孔２６４に対して後方からベース２９１が取り付けられることにより、ボディ２６と一体化される。
【００５８】
固定部材２７０は、正面視が正方形状の保持板２９４と、保持板２９４の外周を囲む周壁２９５と、センターパネル２５とを有している。保持板２９４は、センターパネル２５及び複数の操作部２１を保持する。ここでは、センターパネル２５及び複数の操作部２１の各々の後面に設けられた爪２９６が保持板２９４に引っ掛かることにより、センターパネル２５及び複数の操作部２１が保持板２９４に保持される。操作部２１の後面には、スイッチ２２に向けて突出する突起９４２が形成されている。
【００５９】
保持板２９４において操作用孔２８１に対応する位置には第１孔２７７が形成されている。さらに、保持板２９４において表示用孔２８２に対応する位置には第２孔２７８が形成されている。
【００６０】
保持板２９４の中央部であってセンターパネル２５によって覆われる位置には、正方形状の窓孔２９７が形成されている。窓孔２９７の周縁には、前方に向けて突出するリブ２９８が設けられている。リブ２９８はセンターパネル２５の後面に接触することにより、センターパネル２５の後方への移動を規制する。そのため、センターパネル２５は、前後方向への移動が禁止された状態で保持板２９４に保持される。
【００６１】
一方、複数の操作部２１の各々は、押し操作が可能となるように、後方への移動が許容された状態で保持板２９４に保持される。具体的には、保持板２９４におけるリブ２９８の周囲であって各操作部２１に対応する位置には、保持板２９４の前面から斜め前方に突出するばね片２７６が設けられている。ばね片２７６は、１つの操作部２１に対して４つずつ設けられている。１つの操作部２１に対応する４つのばね片２７６は、先端部を操作部２１の後面における四隅に接触させるように配置されている。そのため、各操作部２１は、押し操作により前面に押圧力を受けると、対応する４つのばね片２７６を弾性変形させながら後方へと移動することになる。そして、各操作部２１への押圧力がなくなると、各操作部２１は対応する４つのばね片２７６の弾性力によって押し操作前の状態に復帰する。
【００６２】
この構成では、複数の操作部２１の各々は、ハンドルブロック１０２の前面９０１に直交する方向に移動可能に、固定部材２７０に保持されることになる。すなわち、複数の操作部２１の各々は、４つのばね片２７６にて後面の四隅が支持されているため、押し操作された際に前面を傾けることなく真っ直ぐ後方へ移動（直進移動）可能である。
【００６３】
さらに、周壁２９５の内周面には、本体ブロック１０１とハンドルブロック１０２との結合用の結合爪２７９が形成されている。ハンドルブロック１０２は、本体ブロック１０１のボディ２６に形成された爪部２６３に結合爪２７９が引っ掛かることにより、本体ブロック１０１に対して着脱可能に取り付けられる。つまり、本体ブロック１０１に対するハンドルブロック１０２の取り付け方式は嵌め込み式であって、ねじを使用しないため、ドライバなどの治具を用いることなく、ハンドルブロック１０２の着脱が可能である。
【００６４】
以上説明したように構成される操作端末器２では、本体ブロック１０１とハンドルブロック１０２との各々が先に組み立てられる。そして、本体ブロック１０１を埋込ボックスに固定した後で、本体ブロック１０１の前方からハンドルブロック１０２を嵌めるようにして、ハンドルブロック１０２を本体ブロック１０１に取り付ければ、操作端末器２が完成する。
【００６５】
本体ブロック１０１にハンドルブロック１０２が取り付けられた状態では、操作部２１の突起９４２は、第１孔２７７を通して固定部材２７０を貫通し、操作用孔２８１を通して内カバー２８を貫通して、その先端部がスイッチ２２に突き合わされる。これにより、操作部２１が押し操作されると、突起９４２にてスイッチ２２が押され、操作部２１に対応するスイッチ２２のオンオフが切り替わることになる。
【００６６】
また、本体ブロック１０１にハンドルブロック１０２が取り付けられた状態では、内カバー２８の表示用孔２８２、及び固定部材２７０の第２孔２７８が前後方向に連続する。これにより、プリント基板２３１に実装された複数の発光部２４１〜２４８の光は、レンズ２４０を通して操作部２１の前面に導光されることになる。すなわち、複数の発光部２４１〜２４８が本体ブロック１０１に設けられているにもかかわらず、本体ブロック１０１にハンドルブロック１０２が取り付けられた状態で、複数の発光部２４１〜２４８の光が操作部２１の前面から出射される。言い換えれば、表示部２４の表示、つまり複数の発光部２４１〜２４８の発光状態は、本体ブロック１０１にハンドルブロック１０２が取り付けられた状態でも視認可能である。
【００６７】
（２．３）アドレス設定
以下、操作端末器２において、作業者がアドレスを設定する手順について、図１Ａ、図１Ｂ及び図５を参照して詳しく説明する。ここでいうアドレスは、複数のスイッチ２２１〜２２８の各々について設定されるアドレス、つまり複数のスイッチ２２１〜２２８に設定される固有のアドレスである。以下では、操作端末器２へ電力供給されており、かつ通信部１１の動作モードが通常モードであることを前提に説明する。
【００６８】
本実施形態の操作端末器２においては、アドレスの設定作業に設定器６（図５参照）が用いられる。つまり、操作端末器２は設定器６との通信機能を有しており、複数のスイッチ２２の各々のアドレスが設定器６を用いて入力される。設定器６は、図５に示すように、設定表示部６１と、入力部６２とを備えている。設定器６は、入力部６２に対する操作によってアドレスが入力（選択）され、入力されたアドレスを設定表示部６１にて表示する。図５では、吹き出しにより設定表示部６１を拡大して模式的に図示している。図５に例示するように、設定器６は、アドレスを４つまで同時に設定することが可能である。図５の例では、スイッチ２２１に対応して「２−１」、スイッチ２２２に対応して「２−２」、スイッチ２２３に対応して「２−３」、スイッチ２２４に対応して「２−４」の４つのアドレスが入力されている。アドレスが入力された状態で入力部６２に対する所定の操作があると、設定器６は、操作端末器２に対して光（赤外線）通信によりアドレスデータを送信する。
【００６９】
アドレスの設定は、通信部１１の動作モードが設定モードにある状態で行われるため、切替操作部１２にて通信部１１の動作モードを設定モードに切り替える必要がある。そのため、作業者は、アドレスの設定時には、まず本体ブロック１０１からハンドルブロック１０２を取り外し、図１Ｂのように本体ブロック１０１の前面１１０を露出させる。この状態で、作業者は、切替操作部１２を押し操作することにより、通信部１１の動作モードを通常モードから設定モードに切り替える。
【００７０】
通信部１１の動作モードが設定モードに切り替わると、通信部１１は設定器６と通信可能な状態となる。また、通信部１１の動作モードが設定モードになると、複数のスイッチ２２１〜２２８のうち、アドレスの設定対象である少なくとも１つのスイッチからなる対象スイッチが表示部２４にて表示される。すなわち、表示部２４には、アドレスの設定対象である対象スイッチを表示する機能がある。具体的には、複数の発光部２４１〜２４８のうち、対象スイッチとしての少なくとも１つのスイッチに対応する発光部が点滅することで、対象スイッチを表示する。表示部２４としての複数の発光部２４１〜２４８は、本体ブロック１０１に設けられているので、ハンドルブロック１０２が外された状態でも、対象スイッチの表示が可能である。
【００７１】
ところで、本実施形態では、複数のスイッチ２２１〜２２８は複数のグループに分かれている。一例として、図５に示すように、複数のスイッチ２２１〜２２８は、２つのグループＧ１，Ｇ２に分かれている。グループＧ１には４つのスイッチ２２１〜２２４が属し、グループＧ２には４つのスイッチ２２５〜２２８が属する。アドレスの設定対象である対象スイッチは、これら複数（本実施形態では２つ）のグループの個々のグループ単位で選択される。ここでは、４つのスイッチ２２１〜２２４からなるグループＧ１がデフォルトで選択されることと仮定する。
【００７２】
要するに、通信部１１の動作モードが設定モードに切り替わると、まずは対象スイッチとして、グループＧ１に属する４つのスイッチ２２１〜２２４が選択され、これらのスイッチ２２１〜２２４に対応する４つの発光部２４１〜２４４が点滅する。このとき、グループＧ２に属する４つのスイッチ２２５〜２２８に対応する４つの発光部２４５〜２４８は消灯する。
【００７３】
グループＧ１に属する４つのスイッチ２２１〜２２４が対象スイッチとして選択されている状態で、通信部１１が、設定器６からアドレスデータを受信すると、対象スイッチである４つのスイッチ２２１〜２２４についてのアドレスの設定が行われる。対象スイッチである４つのスイッチ２２１〜２２４についてアドレスの設定が完了すると、自動的に、対象スイッチがグループＧ２に属する４つのスイッチ２２５〜２２８に切り替わる。対象スイッチとしてグループＧ１に属する４つのスイッチ２２１〜２２４が選択されている状態で、切替操作部１２が押し操作された場合にも、対象スイッチはグループＧ２に属する４つのスイッチ２２５〜２２８に切り替えられる。
【００７４】
対象スイッチがグループＧ２に属する４つのスイッチ２２５〜２２８に切り替えられると、グループＧ２に属する４つのスイッチ２２５〜２２８に対応する４つの発光部２４５〜２４８が点滅する。このとき、グループＧ１に属する４つのスイッチ２２１〜２２４に対応する４つの発光部２４１〜２４４は消灯する。
【００７５】
グループＧ２に属する４つのスイッチ２２５〜２２８が対象スイッチとして選択されている状態で、通信部１１が、設定器６からアドレスデータを受信すると、対象スイッチである４つのスイッチ２２５〜２２８についてのアドレスの設定が行われる。対象スイッチである４つのスイッチ２２５〜２２８についてアドレスの設定が完了すると、自動的に、通信部１１の動作モードは設定モードから通常モードに切り替わる。対象スイッチとしてグループＧ２に属する４つのスイッチ２２５〜２２８が選択されている状態で、切替操作部１２が押し操作された場合にも、通信部１１の動作モードは設定モードから通常モードに切り替えられる。
【００７６】
さらに、通信部１１の動作モードが設定モードにあるときに、対象スイッチについてのアドレスの設定、及び切替操作部１２の押し操作のいずれも行われない状態が一定時間継続すると、通信部１１の動作モードは設定モードから通常モードに切り替わる。
【００７７】
上述のように、作業者は、本体ブロック１０１からハンドルブロック１０２を外した状態で、設定器６を用いてアドレスの設定を行う。アドレスの設定が完了して通信部１１の動作モードが設定モードから通常モードに切り替われば、その後、ハンドルブロック１０２を本体ブロック１０１に取り付けることで、アドレスの設定作業が完了する。
【００７８】
また、通信部１１の動作モードが設定モードにあるときに、設定器６でアドレス確認のための操作がなされると、対象スイッチに既に設定されているアドレスのアドレスデータが、通信部１１から設定器６に送信される。通信部１１からのアドレスデータを受信した設定器６は、このアドレスデータに基づいてアドレスを設定表示部６１にて表示する。これにより、設定モードにおいては、対象スイッチに既に設定されているアドレスが設定器６にて確認可能となる。
【００７９】
また、本実施形態において、切替操作部１２の押し操作とは、切替操作部１２を時間の長さに関係なく１回押す操作、切替操作部１２を所定時間（例えば２秒間）押し続ける長押し操作、及び切替操作部１２を所定回数押す操作のいずれであってもよい。さらに、切替操作部１２の操作内容によって、操作端末器２の動作が異なってもよい。例えば、切替操作部１２が長押し操作されたときにのみ、通信部１１の動作モードが設定モードから通常モードに切り替わってもよい。この場合、作業者は、アドレスの設定が完了した後、切替操作部１２の長押し操作を行って初めて、通信部１１の動作モードを設定モードから通常モードに切り替えることができる。
【００８０】
（３）利点
以上説明した本実施形態の操作端末器２においては、アドレスを設定するための設定器６の通信を行う通信部１１が、本体ブロック１０１のうちハンドルブロック１０２に覆われる位置に配置される。通信部１１がハンドルブロック１０２に覆われていれば、通信部１１が操作端末器２の前面に露出する構成に比べると、設定器６と通信部１１との間の通信がハンドルブロック１０２にて阻害される。とくに、本実施形態のように、通信部１１の通信方式が光通信方式である場合には、通信部１１がハンドルブロック１０２で覆われることにより、例えば設定器６以外の赤外線式のリモートコントローラ等からの光が通信部１１に入射しにくい。結果的に、ユーザが意図しないアドレスの設定又は変更がされる可能性は低くなる。さらに、本体ブロック１０１にハンドルブロック１０２が取り付けられた状態では、通信部１１が露出しないので、通信部１１が操作端末器２の前面に露出する構成に比べて、操作端末器２の外観デザインの自由度が高くなる。
【００８１】
また、本実施形態のように、通信部１１は、光を伝送媒体に用いた光通信により設定器６との通信を行うことが好ましい。この構成によれば、比較的簡単な構成で、通信部１１と設定器６との通信を実現することができる。
【００８２】
この場合において、本実施形態のように、ハンドルブロック１０２のうち少なくとも通信部１１を覆う部分（本実施形態ではセンターパネル２５）は遮光性を有することが好ましい。この構成によれば、ハンドルブロック１０２が本体ブロック１０１に取り付けられた状態では、例えば設定器６以外の赤外線式のリモートコントローラ等からの光は、ハンドルブロック１０２に遮られ、通信部１１に入射しにくくなる。ただし、この構成は操作端末器２に必須の構成ではなく、ハンドルブロック１０２のうち少なくとも通信部１１を覆う部分は遮光性を有さなくてもよい。
【００８３】
また、本実施形態のように、通信部１１は、設定器６との通信を行う設定モードと、設定器６との通信を行わない通常モードとを含む複数の動作モードを切替可能に構成されていることが好ましい。この場合に、本体ブロック１０１は、ハンドルブロック１０２に覆われる位置に配置され、複数の動作モードを切り替えるための操作を受け付ける切替操作部１２を更に有することが好ましい。この構成によれば、通信部１１が通常モードにある状態から、アドレスが設定可能な設定モードに移行するためには、ハンドルブロック１０２に覆われている切替操作部１２が操作される必要がある。そのため、ハンドルブロック１０２が本体ブロック１０１に装着されている状態では、ユーザが意図しないアドレスの設定又は変更がされる可能性がより低くなる。ただし、切替操作部１２は操作端末器２に必須の構成ではなく、切替操作部１２は省略されていてもよい。
【００８４】
本実施形態のように、本体ブロック１０１は、ハンドルブロック１０２に覆われる位置に配置され、複数のスイッチ２２のうちアドレスの設定対象である少なくとも１つのスイッチ２２からなる対象スイッチを表示する表示部２４を更に有することが好ましい。この構成によれば、アドレスを設定する作業者は、複数のスイッチ２２の配置等にかかわらず、表示部２４の表示によってアドレスの設定対象を確認することができるので、アドレスの設定作業の作業性が向上する。ただし、表示部２４は操作端末器２に必須の構成ではなく、表示部２４は省略されていてもよい。
【００８５】
また、この場合において、本実施形態のように、表示部２４は、複数のスイッチ２２に一対一に対応する複数の発光部２４１〜２４８を有することが好ましい。この場合、複数の発光部２４１〜２４８のうち、対象スイッチに対応する少なくとも１つの発光部の発光状態によって、対象スイッチを表示することが好ましい。この構成によれば、複数の発光部２４１〜２４８が複数のスイッチ２２に一対一に対応しているため、例えば対象スイッチが複数ある場合でも、表示部２４の表示によってアドレスの設定対象が確認しやすい。
【００８６】
さらに、本実施形態のように、表示部２４は、上述した対象スイッチを表示する機能に加え、複数の操作部２１に一対一に対応して操作信号による負荷の制御状態を表す機能を有することが好ましい。この構成によれば、アドレスの設定時以外の通常時には、表示部２４を負荷の制御状態の確認に用いることができる。
【００８７】
また、本実施形態のように、複数のスイッチ２２は、複数のグループＧ１，Ｇ２に分かれており、対象スイッチは、複数のグループＧ１，Ｇ２の個々のグループ単位で選択されることが好ましい。この構成によれば、２つ以上のスイッチ２２について、まとめてアドレスの設定を行うことができ、アドレスの設定作業の作業性が向上する。ただし、この構成は、操作端末器２に必須の構成ではなく、複数のスイッチ２２は複数のスイッチ２２の個々のスイッチ単位で選択されてもよい。
【００８８】
（４）変形例
以下、実施形態１の変形例を列挙する。
【００８９】
操作端末器２と設定器６との間の通信方式は、伝送媒体として赤外線を用いた光通信に限らず、例えば可視光、又は電波を伝送媒体に用いた通信方式であってもよい。また、例えば設定器６は操作端末器２と電線により電気的に接続され、電線を介してアドレスデータを送信してもよい。つまり、操作端末器２と設定器６とが有線通信するように構成されていてもよい。
【００９０】
また、実施形態１では、表示部２４は、ＬＥＤからなる複数の発光部２４１〜２４８にて構成されているが、この例に限らず、例えば７セグメントディスプレイ（Seven-Segment Display）や液晶ディスプレイ（ＬＣＤ：Liquid Crystal Display）であってもよい。
【００９１】
また、実施形態１では、ケース２０の正面視の形状は正方形状であるが、この構成に限らず、例えばケース２０は正面視が円形状に形成されていてもよい。同様に、センターパネル２５及び複数の操作部２１の各々の正面視の形状についても、正方形状に限らず円形状であってもよい。また、センターパネル２５及び複数の操作部２１の正面視の形状は同一でなくてもよい。
【００９２】
さらに、複数の操作部２１は、ハンドルブロック１０２の前面９０１においてセンターパネル２５を囲むように配置されていればよく、センターパネル２５及び複数の操作部２１がＮ×Ｎのマトリクス状に配置されていることは必須の構成ではない。例えば、センターパネル２５の周囲に、複数の操作部２１が円環状に並ぶように配置されていてもよい。
【００９３】
また、実施形態１では、センターパネル２５の前面と複数の操作部２１の前面とは、略面一に配置されているが、この構成は操作端末器２に必須の構成ではない。つまり、例えばセンターパネル２５の前面が複数の操作部２１の前面よりも後方に位置してもよいし、反対に、センターパネル２５の前面が複数の操作部２１の前面よりも前方に位置してもよい。操作部２１としてピアノハンドル式スイッチやシーソー式スイッチの操作部（ハンドル）が適用されてもよい。
【００９４】
また、実施形態１では、監視制御システム１０が操作端末器２及び制御端末器３をそれぞれ２つ備える場合を例示しているが、監視制御システム１０は操作端末器２及び制御端末器３をそれぞれ１つ、又は３つ以上備えていてもよい。また、操作端末器２及び制御端末器３は、実施形態１のように同数であってもよいし、同数でなくてもよい。
【００９５】
また、実施形態１では、制御端末器３に電気的に接続されるリレー４が４つの場合を例示しているが、リレー４は１つ、２つ又は３つでもよいし、５つ以上でもよい。さらに、制御端末器３にてリレー４をオンオフすることにより制御される負荷は、照明器具５に限らず、例えば換気扇や空調装置などの負荷であってもよい。
【００９６】
（実施形態２）
本実施形態の操作端末器２Ａは、図６〜図９Ｂに示すように、主にハンドルブロック１０２Ａの構成が、実施形態１の操作端末器２とは相違する。以下、実施形態１と同一又は対応する構成については、実施形態１で用いた符号に「Ａ」を付加した符号を付し、適宜説明を省略する。
【００９７】
本実施形態では、センターパネル２５（図１Ａ参照）はなく、複数の操作部２１Ａは、図６に示すように、ハンドルブロック１０２Ａの前面９０１Ａにおいて、縦方向にＮ個、横方向にＭ個ずつ並ぶように配置されている。「Ｎ」、「Ｍ」はいずれも自然数であって、本実施形態では「Ｎ＝４」、「Ｍ＝２」である。以下では、操作部２１１Ａ〜２１４Ａが並ぶ方向（縦方向）を上下方向、かつ操作部２１１Ａから見て操作部２１２Ａ側を下方とし、さらに、操作部２１１Ａ，２１５Ａが並ぶ方向を左右方向、かつ操作部２１１Ａから見て操作部２１５Ａ側を右方として説明する。ただし、これらの方向は操作端末器２Ａの使用形態を限定する趣旨ではない。
【００９８】
ここで、複数の操作部２１Ａの各々は、正面視において縦横比が略１：２（＝縦：横）となる横方向（左右方向）に長い長方形状に形成されている。このようにそれぞれ縦横比が略１：２の長方形状に形成された複数の操作部２１Ａが、縦×横＝４×２で配置されることで、固定部材２７０Ａの外枠部２７で囲まれた正方形状の領域は、略全面が操作部群２１０Ａ（複数の操作部２１Ａ）にて埋め尽くされる。このとき、操作部群２１０Ａの前面の一辺の長さは、各操作部２１Ａの短辺の長さの略Ｎ倍（本実施形態では４倍）で、かつ各操作部２１Ａの長辺の長さの略Ｍ倍（本実施形態では２倍）となる。
【００９９】
このように、操作部群２１０Ａ（複数の操作部２１Ａ）は、外枠部２７で囲まれた領域に配置されている。言い換えれば、ハンドルブロック１０２Ａの前面９０１Ａは、複数の操作部２１Ａと、複数の操作部２１Ａを囲むように配置された外枠部２７とで構成される。本実施形態では、複数の操作部２１Ａが固定部材２７０Ａに保持された状態において、複数の操作部２１Ａの前面は外枠部２７の前面と略面一になる。つまり、ハンドルブロック１０２Ａの前面９０１Ａは略フラットになる。
【０１００】
ここにおいて、複数の操作部２１Ａの各々は、左右方向の両端部に支点部９２４（図７参照）及び移動端９２５（図７参照）を有し、押し操作時には支点部９２４を中心に回転して移動端９２５が後方に移動するように、固定部材２７０Ａに保持されている。つまり、複数の操作部２１Ａの各々は、いわゆるピアノハンドルを構成し、移動端９２５が後方に押し込まれることにより、対応するスイッチ２２Ａのオンオフを切り替える。本実施形態では、各操作部２１Ａの左右方向の両端部のうち、外枠部２７に近い側の端部が支点部９２４となり、外枠部２７から遠い側の端部が移動端９２５となる。つまり、左右方向に並ぶ２つの操作部２１Ａのうち、正面視において左側の操作部２１Ａについては、左端部が支点部９２４、右端部が移動端９２５となる。一方、正面視において右側の操作部２１Ａについては、右端部が支点部９２４、左端部が移動端９２５となる。
【０１０１】
本実施形態において、更に詳しくは、正面視において複数の操作部２１Ａの各々の短辺の長さは、外枠部２７の内周縁の一辺の長さの４分の１より僅かに短く設定されている。同様に、正面視において複数の操作部２１Ａの各々の長辺の長さは、外枠部２７の内周縁の一辺の長さの２分の１より僅かに短く設定されている。そのため、ハンドルブロック１０２Ａの前面９０１Ａにおいて、隣接する２つの操作部２１Ａ間には、僅かな隙間が設けられている。この隙間により、隣接する２つの操作部２１Ａ間における、操作部２１Ａの操作時の干渉が回避される。
【０１０２】
以下、本実施形態の操作端末器２Ａの内部構成を含むより具体的な構成について、図７〜図９Ｂを参照して説明する。なお、図７〜図９Ｂにおいては、操作端末器２Ａの主要部を図示し、細部の図示は適宜省略している。
【０１０３】
本実施形態では、複数（本実施形態では２つ）の固定孔２６２Ａは、ボディ２６Ａの前面における左右の各辺における中央部付近に形成されている。なお、収納凹所２６１Ａは、各固定孔２６２Ａの近傍を除いてボディ２６Ａの前面の外周縁に向けて張り出した形状に形成されている。言い換えれば、収納凹所２６１Ａの開口は、左右の各辺における中央部付近において収納凹所２６１Ａの内側に凹んだ形状に形成されている。
【０１０４】
通信部１１Ａ及び切替操作部１２Ａは、プリント基板２３１Ａの前面に実装されている。通信部１１Ａ及び切替操作部１２Ａは、いずれも正面視において本体ブロック１０１Ａの中央部に相当する位置に配置されている。
【０１０５】
表示部２４Ａは、２個のＬＥＤを１組として、複数組（本実施形態では８組）の発光部２４１Ａ〜２４８Ａを有している。これら複数組の発光部２４１Ａ〜２４８Ａは、複数のスイッチ２２Ａの各々に対して１組の発光部が対応するように設けられている。
【０１０６】
内カバー２８Ａには、操作用孔２８１Ａ、表示用孔２８２Ａ及び透過孔２８６Ａに加えて、後述するハンドル９２の爪９２２に対応する位置に、前方に開放された凹所２８３が形成されている。ここで、内カバー２８Ａにおける操作用孔２８１Ａの周囲には、前方に突出する絶縁ボス２８４Ａが形成されている。さらに、内カバー２８Ａにおける表示用孔２８２Ａの周囲には、前方に突出するボス２８５Ａが形成されている。
【０１０７】
ところで、複数の操作部２１Ａの各々は、表面カバー９１と、ハンドル９２と、蓋部９４とを有している。また、操作部群２１０Ａには、複数（本実形態では４つ）のハンドル９２を連結する連結部９３が設けられている。複数の操作部２１Ａは基本的な構成が共通であるので、以下では１つの操作部２１Ａに着目して説明する。
【０１０８】
ハンドル９２は、開口窓９２１を有する矩形枠状に形成されている。ハンドル９２の開口窓９２１は、ラベルを収納するためのラベル収納スペース９５（図９Ａ参照）を構成する。ここでいうラベルは、例えば「北側」、「南側」のように、スイッチ２２Ａに対応する負荷（本実施形態では照明器具５）を特定するための情報（名称等）が表記された、いわゆるネームカードである。
【０１０９】
ハンドル９２における左右方向の両端部は、支点部９２４及び移動端９２５に相当する。支点部９２４は、ハンドル９２における支点部９２４以外の部位に比べて薄肉に形成されたヒンジ構造である。支点部９２４は、連結部９３に繋がっている。これにより、ハンドル９２は、連結部９３に対して、支点部９２４を中心に回転して移動端９２５を後方に移動させることができる。
【０１１０】
ここで、ハンドル９２の左右方向の両端部のうち移動端９２５側の端部には、爪９２２及び透孔９２３が形成されている。爪９２２は、ハンドル９２の後面から後方に突出している。透孔９２３は、ハンドル９２を前後方向に貫通している。また、ハンドル９２の左右方向の両端部のうち支点部９２４側の端部において、開口窓９２１に面したハンドル９２の内周面には、蓋部９４を回転可能に保持するための軸受部９２６が形成されている。
【０１１１】
表面カバー９１は、ハンドル９２の前面に取り付けられる。表面カバー９１は、例えば両面粘着テープ、又は接着材にてハンドル９２の前面に貼り付けられる。表面カバー９１がハンドル９２の前面に取り付けられることで、開口窓９２１の前面側の開口は表面カバー９１にて塞がれる。したがって、操作部２１Ａは、後面が開口したラベル収納スペース９５を有することになる。表面カバー９１のうち、少なくともラベル収納スペース９５（開口窓９２１）に対応する部位は透明である。
【０１１２】
また、表面カバー９１の前面には溝部９１１が形成されている。溝部９１１は、ハンドル９２の透孔９２３に対応する位置に形成されている。
【０１１３】
なお、正面視において、表面カバー９１とハンドル９２とは略同一形状であって、いずれも横方向（左右方向）に長い長方形状に形成されている。
【０１１４】
蓋部９４は、左右方向の一端部に軸部９４１を有し、軸部９４１周りで回転することによりラベル収納スペース９５の開口を開閉するように構成されている。そして、蓋部９４の後面には、スイッチ２２Ａに向けて突出する突起９４２Ａが形成されている。すなわち、蓋部９４の軸部９４１がハンドル９２の軸受部９２６にて支持されることにより、蓋部９４は軸部９４１を中心に回転可能な状態でハンドル９２に取り付けられる。本実施形態では、軸部９４１は、蓋部９４の左右方向の両端部のうち支点部９２４側の端部に設けられている。突起９４２Ａは、蓋部９４の後面における中央部に設けられている。
【０１１５】
固定部材２７０Ａは、外枠部２７と、桟部２７５とを有している。外枠部２７は、４本の辺部２７１〜２７４にて、上述したように四角枠状に形成されている。外枠部２７の開口面積が前端部において前端部以外よりも小さくなるように、４本の辺部２７１〜２７４の各々は、長手方向に直交する断面がＬ字状に形成されている。
【０１１６】
桟部２７５は、４本の辺部２７１〜２７４のうち、上下方向に互いに対向する一対の辺部２７１，２７２間に架け渡されている。ここでは、桟部２７５は一対の辺部２７１，２７２の長手方向（左右方向）の中央部同士を連結するように形成されている。つまり、外枠部２７で囲まれた領域は、桟部２７５により２等分されることになる。以下では、外枠部２７で囲まれた領域であって、桟部２７５により区分された複数の領域の各々を「小領域」という。
【０１１７】
本実施形態では、このように形成される複数の小領域に、複数の操作部２１Ａが分かれて配置される。ここで、小領域は、正面視において外枠部２７の内周縁と桟部２７５の左右方向の中心軸とで囲まれる空間である。そのため、小領域に配置される操作部２１Ａの一部は、前後方向において桟部２７５と重なることになる。
【０１１８】
ハンドルブロック１０２Ａのうち、通信部１１Ａを覆う部分に相当する桟部２７５は、少なくとも設定器６（図５参照）と通信部１１Ａとの間の通信に用いられる光（赤外線）に対して遮光性を有している。ハンドル９２についても同様に、少なくとも設定器６と通信部１１Ａとの間の通信に用いられる光（赤外線）に対して遮光性を有している。
【０１１９】
桟部２７５において、複数の凹所２８３の各々に対応する位置には前後方向に貫通した第１孔２７７Ａが形成されている。また、桟部２７５において、複数の表示用孔２８２Ａの各々に対応する位置には前後方向に貫通した第２孔２７８Ａが形成されている。
【０１２０】
さらに、外枠部２７の内周面には、ハンドルブロック１０２Ａと本体ブロック１０１Ａとの結合用の結合爪２７９Ａが形成されている。
【０１２１】
ここで、複数の操作部２１Ａの各々は、押し操作が可能となるように、後方への移動が許容された状態で固定部材２７０Ａに保持される。以下に、固定部材２７０Ａが複数の操作部２１Ａを保持するための、具体的な構成について、図９Ａ及び図９Ｂを参照して説明する。ここで、図９Ａ及び図９Ｂは、操作端末器２Ａのうちハンドルブロック１０２Ａのみを示す図である。図９Ｂは、ハンドルブロック１０２Ａの切断部端面図である。
【０１２２】
４本の辺部２７１〜２７４のうち、左右方向に互いに対向する一対の辺部２７３，２７４の各々に対して、連結部９３が固定される。連結部９３は、一対の辺部２７３，２７４の各々の後面に、例えば溶着や接着、又は嵌め込み構造にて固定される。また、上述した第１孔２７７Ａが、桟部２７５において複数のハンドル９２の各々の爪９２２に対応する位置に形成されている。そのため、連結部９３が外枠部２７に固定された状態で、複数の操作部２１Ａの各々は、爪９２２が第１孔２７７Ａに引っ掛かることにより、前方への移動が規制される。このとき、複数の操作部２１Ａの前面は外枠部２７の前面と略面一になる。
【０１２３】
さらに、本実施形態では、複数の操作部２１Ａの各々に対して、複数の操作部２１Ａの各々を前方へ押す向きの弾性力を作用させるばね片２７６Ａが、固定部材２７０Ａに形成されている。ばね片２７６Ａは、桟部２７５から、左右方向の両側に突出するように複数本設けられている。ばね片２７６Ａは、斜め前方に突出し複数の操作部２１Ａの各々の後面に接触している。ばね片２７６Ａは、１つの操作部２１Ａに対して２つずつ設けられている。１つの操作部２１Ａに対応する２つのばね片２７６Ａは、先端部を操作部２１Ａの後面における上下方向の両端部（ハンドル９２）に接触させるように配置されている。
【０１２４】
これにより、各操作部２１Ａは、押し操作により前面に押圧力を受けると、対応する２つのばね片２７６Ａを弾性変形させながら、支点部９２４を中心に回転して移動端９２５が後方に移動する。そして、各操作部２１Ａへの押圧力がなくなると、各操作部２１Ａは対応する２つのばね片２７６Ａの弾性力によって押し操作前の状態に復帰する。
【０１２５】
ところで、図９Ａに示すように、複数の操作部２１Ａが固定部材２７０Ａに保持された状態でも、蓋部９４の開閉は可能である。つまり、本実施形態では、１つの操作部２１Ａに対応する２つのばね片２７６Ａの間を通して蓋部９４が開閉し、蓋部９４と固定部材２７０Ａとの干渉は生じない。ここで、蓋部９４の後面に形成されている突起９４２Ａは、蓋部９４を開ける際に「つまみ」として利用できる。そして、蓋部９４が開放された状態では、各操作部２１Ａの後面側からラベル収納スペース９５へのアクセスが可能となり、ラベル収納スペース９５へのラベルの挿入やラベルの交換が可能になる。
【０１２６】
本体ブロック１０１Ａにハンドルブロック１０２Ａが取り付けられた状態では、蓋部９４に設けた突起９４２Ａは、操作用孔２８１Ａを通して内カバー２８Ａを貫通し、その先端部がスイッチ２２Ａに突き合わされる。これにより、操作部２１Ａが押し操作されると、突起９４２Ａにてスイッチ２２Ａが押され、操作部２１Ａに対応するスイッチ２２Ａのオンオフが切り替わることになる。なお、移動端９２５が後方に移動する際、爪９２２は、第１孔２７７Ａを通して桟部２７５の後面から突出するので、内カバー２８Ａに形成された凹所２８３は、内カバー２８Ａと爪９２２との干渉を回避するためのスペースとして機能する。
【０１２７】
また、本体ブロック１０１Ａにハンドルブロック１０２Ａが取り付けられた状態では、内カバー２８Ａの表示用孔２８２Ａ、固定部材２７０Ａの第２孔２７８Ａ、及びハンドル９２の透孔９２３が前後方向に連続する。これにより、プリント基板２３１Ａに実装された複数の発光部２４１Ａ〜２４８Ａの光は、表示用孔２８２Ａ、第２孔２７８Ａ、及び透孔９２３を通して、表面カバー９１の溝部９１１に到達し、操作部２１Ａの前面に導光されることになる。
【０１２８】
本実施形態の操作端末器２Ａにおいても、スイッチ２２Ａのアドレスの設定は、本体ブロック１０１Ａからハンドルブロック１０２Ａを外した状態で行われる。アドレスの設定の手順は、実施形態１の操作端末器２と同様である。
【０１２９】
以上説明した本実施形態の操作端末器２Ａにおいては、固定部材２７０Ａは、操作部２１Ａを保持し、操作部２１Ａと共に本体ブロック１０１Ａの前面を覆うように、本体ブロック１０１Ａに取り付けられる。この構成によれば、操作部２１Ａが本体ブロック１０１Ａに保持される構成に比較して、操作部２１Ａの前面と固定部材２７０Ａの前面との相対的な位置関係にばらつきが生じにくい。すなわち、操作端末器２Ａでは、操作部２１Ａと共に本体ブロック１０１Ａの前面を覆う固定部材２７０Ａと、操作部２１Ａとで、壁表面からの突出量にばらつきが生じにくく、結果的に、操作端末器２Ａの表面形状にばらつきが生じにくい、という利点がある。これにより、例えば操作部２１Ａの前面と外枠部２７の前面とを略面一にするなどして、操作端末器２Ａの意匠性の向上を図ることができる。
【０１３０】
以下、実施形態２の変形例を列挙する。
【０１３１】
実施形態２では、複数の操作部２１Ａの前面と外枠部２７の前面とは、略面一に配置されているが、この構成は操作端末器２Ａに必須の構成ではない。つまり、例えば複数の操作部２１Ａの前面が外枠部２７の前面よりも後方に位置してもよいし、反対に、複数の操作部２１Ａの前面が外枠部２７の前面よりも前方に位置してもよい。
【０１３２】
また、操作部２１Ａは、本体ブロック１０１Ａの前面に直交する方向に移動可能となるように、固定部材２７０Ａに保持されていてもよい。具体例としては、操作部２１Ａは、パンタグラフ構造で、押し操作された際に前面を傾けることなく真っ直ぐ後方へ移動（直進移動）可能に構成される。この構成では、操作部２１Ａの前面におけるいずれの位置が押し操作されても対応するスイッチ２２Ａのオンオフを切り替えることができ、操作部２１Ａの操作性が向上する。
【０１３３】
また、ばね片２７６Ａは、操作部２１Ａと固定部材２７０Ａとの少なくとも一方に形成されていればよく、例えば、操作部２１Ａにばね片２７６Ａが形成されていてもよい。又は、ばね片２７６Ａは、操作部２１Ａと固定部材２７０Ａとの両方に形成されていてもよい。いずれの場合でも、ばね片２７６Ａは、操作部２１Ａに対して操作部２１Ａを前方へ押す向きの弾性力を作用させるように構成される。
【０１３４】
また、固定部材２７０Ａは、外枠部２７を構成する４本の辺部２７１〜２７４のうち互いに対向する一対の辺部２７１，２７２間に架け渡された桟部２７５を、複数本有していてもよい。この場合、外枠部２７で囲まれた領域は、桟部２７５により３以上の小領域に区分されることになる。したがって、複数の操作部２１Ａは、外枠部２７で囲まれた領域であって桟部２７５により区分された３以上の小領域に分かれて配置される。
【０１３５】
なお、実施形態２の構成（変形例を含む）は、実施形態１（変形例を含む）と適宜組み合わせて適用可能である。
【符号の説明】
【０１３６】
２，２Ａ  操作端末器
６  設定器
１１，１１Ａ  通信部
１２，１２Ａ  切替操作部
２１，２１１〜２１８，２１Ａ，２１１Ａ〜２１８Ａ  操作部
２２，２２１〜２２８，２２Ａ，２２１Ａ〜２２８Ａ  スイッチ
２４，２４Ａ  表示部
２４１〜２４８，２４１Ａ〜２４８Ａ  発光部
１０１，１０１Ａ  本体ブロック
１１０  前面
１０２，１０２Ａ  ハンドルブロック
２３３，２３３Ａ  信号処理部
２７０，２７０Ａ  固定部材
Ｇ１，Ｇ２  グループ
【図１】
2017175479.tif 000003
【図２】
2017175479.tif 000004
【図３】
2017175479.tif 000005
【図４】
2017175479.tif 000006
【図５】
2017175479.tif 000007
【図６】
2017175479.tif 000008
【図７】
2017175479.tif 000009
【図８】
2017175479.tif 000010
【図９】
2017175479.tif 000011